(57)【要約】【課題】ハンドルとフロントカバーの強度を向上させることで、ハンドル部にかかるねじれ力による白化、変形等での強度低下を防止し、かつフロントカバーの家具等のぶつかりから保護できる電気掃除機を提供すること。【解決手段】掃除機本体７の前部に設けられ、ハンドル１８と一体成形されたフロントカバー１７と、ハンドル１８の外周部及びフロントカバー１７の外周側部から底部までを囲うようにハンドルカバー１９を設けたことによりハンドル部の強度を向上させ、ハンドル１８にかかるねじれ力による白化、変形等が発生するのを防ぐことができる。また、ハンドルカバー１９によりフロント部の強度を向上させ、家具等のぶつかりから保護することができる電気掃除機を提供できる。【選択図】図３
2020068931.tif 000002
【特許請求の範囲】
【請求項１】
掃除機本体の前部に設けられ、ハンドルと一体成形されたフロントカバーと、
前記ハンドルの外周部及び前記フロントカバーの外周側部から底部までを囲うようにハンドルカバーを設けたことを特徴とする電気掃除機。
【請求項２】
ハンドルカバーをハンドル及びフロントカバーの外周部を囲うように略帯状の輪形状としたことを特徴とする請求項１に記載の電気掃除機。
【請求項３】
ハンドルカバーの下部端部が、フロントカバーの下部端部の上部に当接するように構成したことを特徴とする請求項１または２に記載の電気掃除機。
【請求項４】
フロントカバーは、前記フロントカバーの上からのネジの締結および、前記フロントカバー下方の正面からのネジの締結により、掃除機本体における掃除機本体下ケースの前面部に取り付け保持されることを特徴とする請求項１〜３のいずれか１項に記載の電気掃除機。
【請求項５】
ハンドルの握り部が斜め上方に湾曲した形状に構成したことを特徴とする請求項１〜４のいずれか１項に記載の電気掃除機。
【請求項６】
ハンドルカバーをＡＢＳ樹脂で形成したことを特徴とする請求項１〜５のいずれか１項に記載の電気掃除機。
【発明の詳細な説明】
【技術分野】
【０００１】
本願発明は電気掃除機に係わり、特に掃除機本体の前部にハンドルを備えた電気掃除機に関するものである。
【背景技術】
【０００２】
一般的な電気掃除機は、通常、掃除機本体の上面側にハンドルが備えられているが、掃除機本体は、使用しないときに背面側を下にして立てた状態に置かれるので、上面側のハンドルでは立てたとき持ちにくい。ハンドルが掃除機本体の前部にあれば、通常と立てた状態のいずれの状態でも容易に持つことができて便利である。
【０００３】
従来、この種の掃除機本体の前部にハンドルを備えるために、ハンドルと一体成形されたフロントカバーと、前記ハンドルの外周部を覆うハンドルカバーからなる電気掃除機がある（例えば、特許文献１参照）。
【０００４】
図７は、特許文献１に記載された従来の電気掃除機を示すものである。図７に示すように、掃除機本体１前部にハンドル２を固定する構成として、ハンドル２と一体成形されたフロントカバー３と、ハンドル２の外周部を覆うハンドルカバー４を備え、図８に示すように、フロントカバー３は、上からのネジ５の締結により、掃除機本体１における掃除機本体下６の前面部に取り付け保持されるようにしていた。
【先行技術文献】
【特許文献】
【０００５】
【特許文献１】特開２０１５−１４２６２３号公報
【発明の概要】
【発明が解決しようとする課題】
【０００６】
しかしながら、前記従来の構成では、掃除機本体１のハンドル２は、ハンドルカバー４がハンドル２の外周部だけを覆うことで構成されていた。
【０００７】
この様な従来の構成では、ハンドルカバー４はフロントカバー３とハンドル２を一体に覆わない為、ハンドル２にかかるねじれ力による白化、変形等が、ハンドル２の付け根部分に発生し強度が低下する原因となっていた。また、フロントカバー３が、ハンドルカバー４によって覆われていない為、外部からの衝撃に対して傷付き等が生じ、強度が低下する課題があった。
【０００８】
そこで、本発明はこのような課題を解決するためになされたもので、掃除機本体の前部に備えたハンドルと一体形成されたフロントカバーと、前記ハンドルの外周部及び前記フロントカバーの外周側部から底部までを囲うようにハンドルカバーを設けたことにより、ハンドル部とフロントカバーのフロント部の強度を向上させた電気掃除機を提供することを目的とする。
【課題を解決するための手段】
【０００９】
前記従来の課題を解決するために本願発明は、掃除機本体の前部に設けられ、ハンドルと一体成形されたフロントカバーと、前記ハンドルの外周部及び前記フロントカバーの外周側部から底部までを囲うようにハンドルカバーを設けたことを特徴とするものである。
【００１０】
これにより、ハンドル部の強度を向上させ、ハンドル部にかかるねじれ力による白化、
変形等が発生するのを防ぐことができる。また、ハンドルカバーによりフロントカバーのフロント部の強度を向上させ、家具等のぶつかりから保護することができる。
【発明の効果】
【００１１】
以上のように本願発明によれば、掃除機本体の前部に設けられたハンドル部の強度を向上させ、ハンドル部にかかるねじれ力による白化、変形等が発生するのを防ぐことができる。さらにハンドルカバーによりフロントカバーのフロント部の強度を向上させ、家具等のぶつかりから保護することができる。
【図面の簡単な説明】
【００１２】
【図１】本発明の実施の形態１における電気掃除機の掃除機本体の全体斜視図
【図２】同電気掃除機の掃除機本体の中央断面図
【図３】同電気掃除機のハンドルカバー、フロントカバーを掃除機本体から外した状態を示した斜視図
【図４】同電気掃除機本体の側面図
【図５】同電気掃除機においてハンドルカバーが取り付けられたフロントカバーを内側から見た斜視図
【図６】同電気掃除機のハンドルカバー、フロントカバーを掃除機本体下に取り付けビス固定される状態を示した斜視図
【図７】従来の電気掃除機のハンドルカバー、フロントカバーを掃除機本体から外した状態を示した斜視図
【図８】従来の電気掃除機のハンドルカバー、フロントカバーを掃除機本体下に取り付けビス固定される状態を示した斜視図
【発明を実施するための形態】
【００１３】
第１の発明は、掃除機本体の前部に設けられ、ハンドルと一体成形されたフロントカバーと、前記ハンドルの外周部及び前記フロントカバーの外周側部から底部までを囲うようにハンドルカバーを設けたことを特徴とするものである。
これによって、ハンドルカバーがハンドル及びフロントカバーに対し、外周側部から底部まで囲うことでハンドル部の強度アップをはかると共に、ハンドル部にかかるねじれ力を抑制し剛性アップの効果を有する。また、フロントカバーの外周側部から底部までをハンドルカバーで囲うように保護することで、床面の敷居等の突出物や家具等にフロントカバーのフロント部が当たって破損や傷付の発生をハンドルカバーによって防止することができる。
【００１４】
第２の発明は、特に第１の発明において、ハンドルカバーをハンドル及びフロントカバーの外周部を囲うように略帯状の輪形状としたことを特徴とするものである。
これによって、切れ目のない略帯状の輪形状とすることでハンドル部にかかるねじり力に対する強度を更に向上させることができる。
【００１５】
第３の発明は、特に第１または第２の発明において、ハンドルカバーの下部端部が、フロントカバーの下部端部の上部に当接するように構成したことを特徴とするものである。上記当接によって、すき間がなくなることで、ハンドルを一体形成されたフロントカバーにハンドルカバーをしっかりと固定することができると共に、フロントカバーにハンドルカバーを取り付けたユニットにすることが可能となり、掃除機本体の前部に取り付ける前工程でユニットになっているので、掃除機本体の前部への組立を容易に行うことができる。
【００１６】
第４の発明は、特に第１〜第３のいずれか１つの発明において、フロントカバーは、前記フロントカバーの上からのネジの締結および、前記フロントカバー下方の正面からのネ
ジの締結により、掃除機本体における掃除機本体下の前面部に取り付け保持されることを特徴とするものである。
これによって、ハンドルカバーが取り付けられたフロントカバーを掃除機本体下の前面部に形成された取り付け位置に嵌め込み、上からのネジの締結および正面からのネジの締結により保持固定することにより、自動機による組立を可能にすることができる。
【００１７】
第５の発明は、特に第１〜第４のいずれか１つの発明において、ハンドル部が斜め上方に湾曲した形状に構成したことを特徴とするものである。
これによって、掃除機本体を横にした通常の状態と立てた状態のいずれの場合でも、手を不自然な状態にすることなく、ホースと干渉したりすることもなくなるので、ハンドル部が持ち易くすることができる。
【００１８】
第６の発明は、特に第１〜第５のいずれか１つの発明において、ハンドルカバーをＡＢＳ樹脂で形成したことを特徴とするものである。
これによって、フロントカバーを形成するＰＰ樹脂よりも耐衝撃性能の高いＡＢＳ樹脂でフロント部を覆うことで、外部からの衝撃を受け易いフロント部の強度を向上させることができる。
【００１９】
以下、本発明の実施の形態について、図面を参照しながら説明する。なお、この実施の形態によって本発明が限定されるものではない。
【００２０】
（実施の形態１）
本発明の第１の実施の形態における電気掃除機について、図１〜図６を用いて説明する。図１は、本発明の実施の形態１における電気掃除機の掃除機本体の全体斜視図、図２は、同電気掃除機の掃除機本体の中央断面図、図３は、同電気掃除機のハンドルカバー、フロントカバーを掃除機本体から外した状態の斜視図、図４は、同電気掃除機本体の側面図、図５は、同電気掃除機においてハンドルカバーが取り付けられたフロントカバーを内側から見た斜視図、図６は、同電気掃除機のハンドルカバー、フロントカバーを掃除機本体下に取り付けビス固定される状態を示した斜視図である。
【００２１】
本実施形態の掃除機本体７は、掃除機本体下８と掃除機本体上９及び集塵室蓋１０から成り、掃除機本体７内に、図２に示すように、前側から、集塵室１１、電動送風機１２を内蔵する電動送風機室１３を備えている。また、掃除機本体７の底面前部には、キャスターローラ１４が、掃除機本体７の側面の後端両側には一対の後輪１５がそれぞれ装着されており、キャスターローラ１４及び後輪１５を介して掃除機本体７を移動させることができる。掃除機本体７の後端面には、複数の開口を有する排気口部１６が形成されている。
【００２２】
一方、図３に示すように、掃除機本体下８の前面部８ａには、フロントカバー１７が取り付けられるように構成されており、このフロントカバー１７には一体成形で取り付けられたハンドル１８が形成されている。
【００２３】
また、ハンドル１８が一体成形で取り付けられたフロントカバー１７には、別部品であるハンドルカバー１９が覆いかぶさるように構成されており、具体構成としては、ハンドルカバー１９が、ハンドル１８の外周部及びフロントカバー１７の外周側部から底部までを囲うように設けられている。
【００２４】
そして、図３〜図５に示すように、ハンドルカバー１９が、ハンドル１８の外周部及びフロントカバー１７の外周側部から底部までを囲い、ハンドルカバー１９がフロントカバー１７の周囲を覆い一体化することで、ハンドル部２０の強度アップをはかると共にハンドル部２０にかかるねじれ力を抑制し剛性アップの効果を発揮することができる。
【００２５】
また、上記ハンドルカバー１９を図３に示すように、略帯状の輪形状としたことにより切れ目のない略帯状の輪形状とすることでハンドル部２０にかかるねじり力に対する強度をさらに向上させることができる。
【００２６】
また、外周側部から底部までをハンドルカバー１９で囲うように保護することで、床面の敷居等の突出物や家具等にフロントカバー１７の端部が当たって破損や傷付の発生を防止することができる。
【００２７】
また、図５に示すように、ハンドルカバー１９の下部端部１９ａが、フロントカバー１７の下部端部１７ａの上部に当接するように構成したことにより、すき間がなくなることで、ハンドル１８を一体形成されたフロントカバー１７にハンドルカバー１９をしっかりと固定することができると共に、フロントカバーにハンドルカバーを取り付けたユニットにすることが可能となり、掃除機本体の前部に取り付ける前工程でユニットになっているので、掃除機本体の前部への組立を容易にすることができる。
【００２８】
また、図６に示すように、フロントカバー１７はフロントカバー１７の上からのネジａ２１のネジ穴ａ２２に締結および、図３に示すように、フロントカバー１７下方の正面からのネジｂ２３のネジ穴ｂ２４に締結により、掃除機本体における掃除機本体下８の前面部に取り付け保持されることにより、自動機による組立を可能にできる。
【００２９】
また、図４に示すように、フロントカバー１７に一体成形されたハンドル部２０の握り部２５が斜め上方に湾曲した形状に形成されているので、掃除機本体７を横にした通常の状態と立てた状態のいずれの場合でも、手を不自然な状態にすることなく、ハンドル部２０の握り部２５を持ち易くすることができる。
【００３０】
また、ハンドルカバー１９を、フロントカバーを形成するＰＰ樹脂（ポリプロピレン樹脂）よりも耐衝撃性能の高いＡＢＳ樹脂（アクリロニトリル・ブタジエン・スチレン共重合合成樹脂）で形成したことにより、外部からの衝撃を受け易いフロント部２６の強度を向上させることができる。
なお、上述の実施の形態１での説明では、ハンドルカバー１９が輪形状の場合で説明したが、輪形状でなく単にハンドルカバー１９がフロントカバー１７の底面部まで周り込んでいて輪形状になっていない場合でも実施の形態１と同様の効果は得られるものである。
【産業上の利用可能性】
【００３１】
以上のように、本発明の電気掃除機は、掃除機本体の前部に設けられ、ハンドルと一体成形されたフロントカバーと、前記ハンドルの外周部及び前記フロントカバーの外周側部から底部までを囲うようにハンドルカバーを設けたので、掃除機本体の前部に設けられたハンドル部の強度を向上させ、ハンドル部にかかるねじれ力による白化、変形等が発生するのを防ぐことができるため、家庭用電気掃除機及び業務用電気掃除機の分野・用途に適用することができる。
【符号の説明】
【００３２】
７  掃除機本体
８  掃除機本体下
９  掃除機本体上
１０  集塵室蓋
１１  集塵室
１２  電動送風機
１３  電動送風機室
１４  キャスターローラ
１５  後輪
１６  排気口部
１７  フロントカバー
１８  ハンドル
１９  ハンドルカバー
２０  ハンドル部
２１  ネジａ
２２  ネジ穴ａ
２３  ネジｂ
２４  ネジ穴ｂ
２５  握り部
２６  フロント部
【図１】
2020068931.tif 000003
【図２】
2020068931.tif 000004
【図３】
2020068931.tif 000005
【図４】
2020068931.tif 000006
【図５】
2020068931.tif 000007
【図６】
2020068931.tif 000008
【図７】
2020068931.tif 000009
【図８】
2020068931.tif 000010